(57)【要約】  【課題】溝への挿入作業が不要となり、安価に生産でき、清掃体が取り付けられるロータとの間に塵埃等が入り込むことを防止する構造とすることによってカビや悪臭の発生を防ぎ、且つ清掃効果にも優れた回転ロータ及び電気掃除機用吸込具を提供する。【解決手段】回転ロータ３０は、合成樹脂で形成された略円筒状のロータ１０と、塵埃を除去する清掃体７、８と、ロータ１０の両端に取り付けられる回転駆動用のブラケット９ａ、９ｂとを備えている。ロータ１０と清掃体７、８とは、一端から他端に亘って螺旋状に形成されてあると共に、押出成形にて一体的に形成されてある。【選択図】図１
2010012080.tif 000002
【特許請求の範囲】
【請求項１】
合成樹脂で形成された略円筒状のロータと、塵埃を除去する清掃体と、前記ロータの両端に取り付けられる回転駆動用のブラケットとを備え、各種清掃装置に組込まれる回転ロータにおいて、前記ロータと前記清掃体とは、一端から他端に亘って螺旋状に形成されてあると共に、押出成形にて一体的に形成されてあることを特徴とする回転ロータ。
【請求項２】
清掃体は、複数種類を有し、少なくとも一つ以上の前記清掃体は、長尺な基部と、該基部上にパイル状の繊維等からなるブラシ部とを備えた起毛ブラシにて形成されてあることを特徴とする請求項１に記載の回転ロータ。
【請求項３】
清掃体は、長尺な基部と、該基部上にパイル状の繊維等からなるブラシ部とを備えた起毛ブラシにて形成されてあることを特徴とする請求項１に記載の回転ロータ。
【請求項４】
清掃体は、長尺な基部と、該基部上にパイル状の繊維等からなるブラシ部とを備えた起毛ブラシにて形成されてあり、前記起毛ブラシの根元部が前記基部の縁部により狭持されていると共に、前記基部の縁部がロータの外表面にたいして所定長さ突出して形成されてあることを特徴とする請求項１〜３のいずれか１項に記載の回転ロータ。
【請求項５】
清掃体は、長尺な基部と、該基部上にパイル状の繊維等からなるブラシ部とを備えた起毛ブラシにて形成されてあり、前記起毛ブラシの根元部の側部近傍に基部の縁部が露出された溝部が形成されてあることを特徴とする請求項１〜３のいずれか１項に記載の回転ロータ。
【請求項６】
ロータの外周面に、押出成形時に前記ロータを位置決めする為のロータつかみ部が形成されてあることを特徴とする請求項１〜５のいずれか１項に記載の回転ロータ。
【請求項７】
請求項１〜６のいずれかの回転ロータを備えた電気掃除機用吸込具。
【発明の詳細な説明】
【技術分野】
【０００１】
本発明は、各種清掃装置に組み込まれ、回転しながら塵埃を除去する回転ロータと、これを用いた電気掃除機用吸込具に関するものである。
【背景技術】
【０００２】
従来の電気掃除機用吸込具の回転ロータは、ロータ及び清掃体からなり、ロータ及び清掃体は熱可塑性樹脂あるいはゴム弾性体から形成され、清掃体は外周部に清掃片を有すると共に、清掃体がロータの外周部に形成されるように、ロータにたいして清掃体を２層成形したものが知られている（特許文献１）。
【０００３】
また、別の回転ロータは、心材となるシャフトの周りに装着されるとともにブレードを有し且つ軟質の樹脂製のパイプと、ブラシを植毛したブラシ台を装着するための溝を有し且つシャフトの軸方向に沿って延びる硬質の樹脂製の保持部とを押出成形によって一体成形し、この一体成形したパイプの孔にシャフトを貫装させ、保持部の溝にブラシ台を装着させ、この後、そのパイプの端部をシャフトに対して周方向に捻ってその端部をシャフトに固定したものが知られている（特許文献２）。
【０００４】
また、別の回転ロータは、中空の円筒形状であって、周方向の均等位置で径方向外方へ膨出したブレード保持部が設けられており、このブレード保持部は、ロータ体の軸方向に沿って９０度〜１８０度の範囲で螺旋状に捩られており、その長手方向に沿って断面逆Ｔ字状を呈するブレード嵌着用の螺旋溝が形成されたものが知られている（特許文献３）。
【０００５】
さらに、別の回転ロータは、軸線方向に沿った複数の溝を有する回転軸部と、各溝にそれぞれ挿入保持される複数のブレードとを有しているものであって、複数のブレードのうち少なくとも１つは、溝から所定の高さだけ突出し且つ溝に沿って延びた布地の清掃部材と、溝に沿って延びるとともに清掃部材を取り付けて溝に挿入保持される樹脂製の台座とで形成し、台座を清掃部材とともに一体成形して清掃部材を台座７２に貫通させた状態に取り付けているものが知られている（特許文献４）。
【０００６】
【特許文献１】特開２００３−４９４号公報
【特許文献２】特開２００３−２９００９３号公報
【特許文献３】特開２０００−１０７０９３号公報
【特許文献４】特開平９−４７４０４号公報
【発明の開示】
【発明が解決しようとする課題】
【０００７】
上記従来の特許文献１に記載された回転ロータでは、ロータのみならず、清掃体をも熱可塑性樹脂あるいはゴム弾性体から形成されているので、絨毯上面にからみついた塵埃の除去には最適だった。しかしながら、床面、畳面の拭き掃き効果は無く、掃除面への叩き音が高く、音がうるさかった。
また、特許文献２〜４に記載された回転ロータでは、ロータを成形した後に、このロータに形成された溝に清掃部材を挿入する構造となっていることから、清掃部材を組み立てる作業工程が必要となり、高価なものになっていた。さらに、ロータの溝と清掃部材との間に隙間ができ、この隙間に床面から塵埃が入り込み、その除去が困難となっていた。また、これを放置すると、湿気を含んだ塵埃の場合には、カビが生えて悪臭の発生源となっていた。
【０００８】
本発明は上記点に鑑み、清掃体が起毛ブラシの場合は、掃除範囲が絨毯に限らず、床面のフローリングの拭き掃き、畳面の拭き掃きが好適にでき、被清掃面に当接する時の叩き音を極めて低くすることができることで静音化でき、溝への挿入作業が不要となり、安価に生産でき、清掃体が取り付けられるロータとの間に塵埃等が入り込むことを防止する構造とすることによってカビや悪臭の発生を防ぎ、且つ清掃効果にも優れた回転ロータ及び電気掃除機用吸込具を提供することを目的とする。
【課題を解決するための手段】
【０００９】
請求項１の発明は、合成樹脂で形成された略円筒状のロータと、塵埃を除去する清掃体と、前記ロータの両端に取り付けられる回転駆動用のブラケットとを備え、各種清掃装置に組込まれる回転ロータにおいて、前記ロータと前記清掃体とは、一端から他端に亘って螺旋状に形成されてあると共に、押出成形にて一体的に形成されてあることに特徴を有する。したがって、清掃体が起毛ブラシの場合は、掃除範囲が絨毯に限らず、床面のフローリングの拭き掃き、畳面の拭き掃きが好適にできる。また、被清掃面に当接する時の叩き音を極めて低くすることができ、静音化できる。さらに、溝への挿入作業が不要となり、安価に生産できる。また、ロータと清掃体との間に床面からの塵埃が入り込む隙間がないので、カビや悪臭の発生を防ぐことができる。
【００１０】
請求項２の発明は、請求項１の発明において、清掃体は、複数種類を有し、少なくとも一つ以上の前記清掃体は、長尺な基部と、該基部上にパイル状の繊維等からなるブラシ部とを備えた起毛ブラシにて形成されてあることに特徴を有する。したがって、起毛ブラシの長尺な基部と、ロータとが一体的に形成されることによって、清掃体が起毛ブラシの場合は、掃除範囲が絨毯に限らず、床面のフローリングの拭き掃き、畳面の拭き掃きが好適にできる。また、被清掃面に当接する時の叩き音を極めて低くすることができ、静音化できる。さらに、溝への挿入作業が不要となり、安価に生産できる。また、床面からの塵埃が入り込む隙間がないので、カビや悪臭の発生を防ぐことができる。
【００１１】
請求項３の発明は、請求項１の発明において、清掃体は、長尺な基部と、該基部上にパイル状の繊維等からなるブラシ部とを備えた起毛ブラシにて形成されてあることに特徴を有する。したがって、起毛ブラシの長尺な基部と、ロータとが一体的に形成されることによって、清掃体が起毛ブラシの場合は、掃除範囲が絨毯に限らず、床面のフローリングの拭き掃き、畳面の拭き掃きが好適にできる。また、被清掃面に当接する時の叩き音を極めて低くすることができ、静音化できる。さらに、溝への挿入作業が不要となり、安価に生産できる。また、床面からの塵埃が入り込む隙間がないので、カビや悪臭の発生を防ぐことができる。
【００１２】
請求項４の発明は、請求項１〜３のいずれかの発明において、清掃体は、長尺な基部と、該基部上にパイル状の繊維等からなるブラシ部とを備えた起毛ブラシにて形成されてあり、前記起毛ブラシの根元部が前記基部の縁部により狭持されていると共に、前記基部の縁部がロータの外表面にたいして所定長さ突出して形成されてあることに特徴を有する。したがって、起毛ブラシの基部が布地で形成された基布で構成されている場合には、押出成形時にロータを構成する溶融された樹脂が基部の細かな空隙部に入り込み、確実に固定される。また、起毛ブラシの基部が樹脂、合成ゴム等で形成されている場合には、押出成形時にロータを構成する溶融された樹脂が、基部の一部にたいして溶け込み、確実に固定される。また、樹脂等の基部の外表面に凹凸を形成した場合には、押出成形時にロータを構成する溶融された樹脂が凹凸面に入り込み、確実に固定される。また、清掃体が床面等を回転しながら清掃する際に生じる衝撃力によってロータと起毛ブラシの基部とが分解することを防止できる。また、ロータと起毛ブラシの基部とが異材質であっても確実に溶融結合することができる。また、起毛ブラシの基部を布地で形成された基布で構成すれば、柔軟性に優れているので押出成形時の螺旋形状の形成が容易にできる。さらに、起毛ブラシの根元部が基部の縁部によって挟持されているので、押出成形時にロータの一部が起毛ブラシの根元部に入り込み、起毛ブラシのブラシ部を硬化させて、屈曲性を阻害させることを防ぐことができる。また、基部の縁部がロータの外表面にたいして所定長さ突出して形成されてある為、突出した縁部にたいして押出成形時の金型を位置決めする事により、起毛ブラシをロータに確実に位置決めできる。
【００１３】
請求項５の発明は、請求項１〜３のいずれかの発明において、清掃体は、長尺な基部と、該基部上にパイル状の繊維等からなるブラシ部とを備えた起毛ブラシにて形成されてあり、前記起毛ブラシの根元部の側部近傍に基部の縁部が露出された溝部が形成されてあることに特徴を有する。したがって、溝部に押出成形金型が入り込むことによって、起毛ブラシの基部を押さえ込むと共に、パイル状の繊維等からなるブラシ部に樹脂が流れ込まないよう防止している。さらに、溝部の両側のロータが位置決めとなり、ロータと清掃体との位置がずれることなく、精度のよい回転ロータを大量生産することができる。
【００１４】
請求項６の発明は、請求項１〜５のいずれかの発明において、ロータの外周面に、押出成形時に前記ロータを位置決めする為のロータつかみ部が形成されてあることに特徴を有する。したがって、ロータと清掃体との一体化の段階で、ロータにたいする清掃体の位置がずれることなく、精度のよい回転ロータを大量生産することができる。
【００１５】
請求項７の発明は、請求項１〜６のいずれかの回転ロータを備えた電気掃除機用吸込具に特徴を有する。したがって、清掃体が起毛ブラシの場合は、掃除範囲が絨毯に限らず、床面のフローリングの拭き掃き、畳面の拭き掃きが好適にでき、被清掃面に当接する時の叩き音を極めて低くすることができ、静音化でき、溝への挿入作業が不要となり、安価に生産でき、ロータと清掃体との間に床面からの塵埃が入り込む隙間がないので、カビや悪臭の発生を防ぐことができると共に、量産性に優れた回転ロータを備えた電気掃除機用吸込具を提供できる。
【発明の効果】
【００１６】
請求項１〜３の発明では、清掃体が起毛ブラシの場合は、掃除範囲が絨毯に限らず、床面のフローリングの拭き掃き、畳面の拭き掃きが好適にできる。また、被清掃面に当接する時の叩き音を極めて低くすることができ、静音化できる。さらに、溝への挿入作業が不要となり、安価に生産できる。また、ロータと清掃体との間に床面からの塵埃が入り込む隙間がないので、カビや悪臭の発生を防ぐことができる。また、請求項４の発明では、清掃体が床面等を回転しながら清掃する際に生じる衝撃力によってロータと起毛ブラシの基部とが分解することを防止できる。また、ロータと起毛ブラシの基部とが異材質であっても確実に溶融結合することができる。また、請求項５及び６の発明では、ロータと清掃体との位置がずれることなく、精度のよい回転ロータを大量生産することができる。さらに、請求項７の発明では、清掃体が起毛ブラシの場合は、掃除範囲が絨毯に限らず、床面のフローリングの拭き掃き、畳面の拭き掃きが好適にでき、被清掃面に当接する時の叩き音を極めて低くすることができることで静音化でき、溝への挿入作業が不要となり、安価に生産でき、ロータと清掃体との間に床面からの塵埃が入り込む隙間がないので、カビや悪臭の発生を防ぐことができると共に、量産性に優れた回転ロータを備えた電気掃除機用吸込具を提供することができる。
【発明を実施するための最良の形態】
【００１７】
次に、本発明の実施形態を図面に基づいて説明する。図１（ａ）は、本発明に係る回転ロータ３０の斜視図であり、図１（ｂ）は同回転ロータ３０の断面図である。回転ロータ３０は、合成樹脂で形成された略円筒状のロータ１０と、塵埃を除去する清掃体７、８と、ロータ１０の両端に取り付けられる回転駆動用のブラケット９ａ、９ｂとを備えている。ロータ１０と清掃体７、８とは、一端から他端に亘って螺旋状に形成されてあると共に、押出成形にて一体的に形成されてある。清掃体７は、起毛ブラシであるため、掃除範囲が絨毯に限らず、床面のフローリングの拭き掃き、畳面の拭き掃きが好適にできる。また、被清掃面に当接する時の叩き音を極めて低くすることができ、静音化できる。さらに、溝への挿入作業が不要となり、安価に生産できる。また、ロータ１０と清掃体７、８との間に床面からの塵埃が入り込む隙間がないので、カビや悪臭の発生を防ぐことができる。尚、螺旋の角度については、生産上は一定角度が望ましいが、押出スピードと、後述する捩り矯正冶具の回転速度を変化させることにより、自由に角度設定を行うことができるようになっている。
【００１８】
尚、ブラケット９ａ、９ｂは、ロータ１０に嵌合するキャップ部９３、９４と、図示しない軸受けに軸支される回転軸９１、９５とを備えている。また、一方のブラケット９ｂは、図示しない回転駆動装置と連結するベルトが取り付けられるためのギア９６が形成されている。
【００１９】
図２は、本発明に係る回転ロータの第１実施形態を示す断面図である。回転ロータ３０の清掃体７と、清掃体８とは種類が異なるものである。また、少なくとも一つ以上の清掃体７は、長尺な基部７ａと、この基部７ａ上にパイル状の繊維等からなるブラシ部７ｂとを備えた起毛ブラシ７０にて形成されてある。清掃体７は、基部７ａが布地で形成された基布の形態及び樹脂、合成ゴム等の形態を採用できる。起毛ブラシ７０の基部７ａが布地で形成された基布で構成されている場合には、押出成形時にロータ１０を構成する溶融された樹脂が基部の細かな空隙部に入り込み、確実に固定される。また、起毛ブラシ７０の基部７ａが樹脂、合成ゴム等で形成されている場合には、押出成形時にロータ１０を構成する溶融された樹脂が、基部の一部にたいして溶け込み、確実に固定される。また、樹脂等の基部７ａの外表面に凹凸を形成した場合には、押出成形時にロータ１０を構成する溶融された樹脂が凹凸面に入り込み、確実に固定される。また、清掃体８は合成樹脂、ゴム、エラストマー等から形成されてある。したがって、起毛ブラシ７０の長尺な基部７ａと、ロータ１０とが一体的に形成されることによって、床面からの塵埃が入り込む隙間がないので、カビや悪臭の発生を防ぐことができる。また、ロータ１０の外周面に、押出成形時にロータ１０を位置決めする為のロータつかみ部１０ａが形成されてある。したがって、ロータ１０と清掃体７、８との一体化の段階で、位置がずれることなく、精度のよい回転ロータ３０を大量生産することができる。
【００２０】
上記の実施例において、ロータ１０の素材には、熱可塑性樹脂が使用されてあるが、タルク、マイカ、ガラス繊維、カーボン繊維、チタン酸カリウム、金属繊維、炭酸カルシウム、クレー、シリカ、水酸化マグネシウム、水酸化アルミニウム、ウオラスナイト等の内、少なくとも１種類以上の添加剤を含有した熱可塑性合成樹脂を使用する事もできる。使用する熱可塑性合成樹脂の剛性については、目的に応じて適時、設定すれば良いが、曲げ弾性率が３０ｋｇ／ｃｍ２以上のものを使用すれば、回転時の心振れ等にたいして、より高い剛性を有するロータを製作できる。また、熱可塑性合成樹脂８０重量％に対してタルクを２０重量％添加すると非常に高い剛性を得られることが実験で確認されている。したがって、タルクを１０重量％〜３０重量％の範囲で添加すれば、ロータに高い剛性を付与することができる。
【００２１】
なお、熱可塑性合成樹脂としては、ＡＢＳ樹脂、ＡＳ樹脂、ＡＡＳ樹脂、ポリスチレン樹脂、ハイインパクトポリスチレン樹脂等のスチレン系樹脂、ポリメチルメタクリレート樹脂、メチルメタクリレート−ブチルアクリレート共重合体などのアクリル系樹脂、ポリプロピレン樹脂、ポリエチレン樹脂などのオレフィン系樹脂、６−ナイロン樹脂、６６−ナイロン樹脂、４６−ナイロン樹脂などのポリアミド系樹脂、ポリカーボネイト系樹脂、ポリエチレテレフタレート系樹脂、ポリブチレンテレフタレート系樹脂などがあるが、好ましくは、スチレン系樹脂、アクリル系樹脂などの非結晶性樹脂が、押し出し成形性と剛性面よりバランスがとれており好ましい。
【００２２】
図３は、本発明の回転ロータに係る清掃体７を起毛ブラシ７０で構成した場合の斜視図である。起毛ブラシ７０は、長尺な基部７ａと、この基部７ａ上にパイル状の繊維等からなるブラシ部７ｂが植毛されたものである。基部７ａは、布地で形成された基布の形態、或いは樹脂、合成ゴム等で形成された形態を採用できる。起毛ブラシ７０の基部７ａが布地で形成された基布で構成されている場合には、押出成形時にロータ１０を構成する溶融された樹脂が基部７ａの細かな空隙部に入り込み、確実に固定される。また、起毛ブラシ７０の基部７ａが樹脂、合成ゴム等で形成されている場合には、押出成形時にロータ１０を構成する溶融された樹脂が、基部の一部にたいして溶け込み、確実に固定される。また、樹脂等の基部７ａの外表面に凹凸を形成した場合には、押出成形時にロータ１０を構成する溶融された樹脂が凹凸面に入り込み、確実に固定される。また、基部７ａと、図２で示したロータ１０とを同材質にした場合には、押出成形で確実に一体化することができる。
【００２３】
図４は、本発明に係る回転ロータの第２実施形態を示す断面図である。回転ロータ３１は、清掃体７を構成する起毛ブラシ７００の根元部の側部近傍に基部７ａが露出された縁部７ｃが形成されてある。また、ロータ１１の外周面に、押出成形時にロータ１１を位置決めする為のロータつかみ部１０ｂが形成されてある。上記構成とすることによって、縁部７ｃに押出成形金型が入り込むことによって、起毛ブラシ７００の基部７ａを押さえ込むと共に、パイル状の繊維等からなるブラシ部７ｂに樹脂が流れ込まないようにしている。さらに、溝部１２の両側のロータつかみ部１０ｂが位置決めとなり、ロータ１１と清掃体７との位置がずれることなく、精度のよい回転ロータ３１を大量生産することができる。
【００２４】
図５は、本発明に係る回転ロータの第３実施形態を示す断面図である。回転ロータ３２は、起毛ブラシ７００の根元部が縁部７ｃにより狭持されていると共に、縁部７ｃがロータ１２の外表面にたいして所定長さ突出して形成されてある。このように構成することによって、起毛ブラシ７００は、この起毛ブラシ７００の基部７ａが布地で形成された基布で構成されている場合には、押出成形時にロータ１２を構成する溶融された樹脂が基部７ａの細かな空隙部に入り込み、確実に固定される。また、起毛ブラシ７００の基部７ａが樹脂、合成ゴム等で形成されている場合には、押出成形時にロータ１２を構成する溶融された樹脂が、基部７ａの一部にたいして溶け込み、確実に固定される。また、樹脂等の基部７ａの外表面に凹凸を形成した場合には、押出成形時にロータ１２を構成する溶融された樹脂が凹凸面に入り込み、確実に固定される。また、清掃体７が床面等を回転しながら清掃する際に生じる衝撃力によってロータ１２と起毛ブラシ７００の縁部７ｃとが分解することを防止できる。また、ロータ１２と起毛ブラシ７００の縁部７ｃとが異材質であっても確実に溶融結合することができる。また、起毛ブラシ７００の縁部７ｃを基布で構成すれば、柔軟性に優れているので押出成形時の螺旋形状の形成が容易にでき、ロータ１２との同一形状性に優れている。さらに、起毛ブラシ７００の根元部が縁部７ｃによって挟時されているので、押出成形時にロータ１２の一部が起毛ブラシ７００の根元部に入り込み、起毛ブラシ７００のブラシ部７ｂを硬化させて、屈曲性を阻害させることを防ぐことができる。
【００２５】
図６は、押出成形の一例を示す模式図である。この図に示すように、押出金型１３より、ストレート溝１０ｃを有するロータ１０が押出されると、このロータ１０のストレート溝１０ｃに清掃体７、８が挿入されつつ、捩り矯正治具（サイディング）１４に挿入される。捩り矯正治具（サイディング）１４を通過すると、ロータ１０と清掃体７、８とが一体化され、且つ、上述したストレート溝１０ｃが螺旋溝１０ｄとなるように、ロータ１０と清掃体７、８とは、一端から他端に亘って螺旋状に形成された回転ロータ３０となるのである。
【００２６】
図７（ａ）は、本発明に係る電気掃除機用吸込具の斜視図であり、図７（ｂ）は、同底面図である。電気掃除機用吸込具１９は、上ケース１９ａと下ケース１９ｂと、継手管部２２とから構成されており、下ケース１９ｂの４箇所にはローラ２３が設置されている。そして、図１で示した回転ロータ３０は、電気掃除機用吸込具１９の吸込口２４に設置される。電気掃除機用吸込具１９には、モータ２０が内蔵されており、このモータ２０と、上述したブラケットのギア９６とがベルト２１によって連結されて、モータ２０の回転と連動して回転ロータ３０が回転するようになっている。
【００２７】
図８は、本発明に係る回転ロータを各種清掃装置に取り付けた状態を示す斜視図と同断面図である。この図に示すように、本発明に係る回転ロータ３０は、上述した電気掃除機用吸込具１９だけでなく、各種清掃装置に取り付けることができる。図８に示す清掃装置２８は、空気調和機のフィルター２７の清掃を行う装置である。フィルター２７は、フィルター体２７ｂと押え枠２７ａとから構成されており、フィルター２７又は清掃装置２８を可動させ、回転ロータ３０を回転させることによって、フィルター体２７ｂに付着した塵埃を回転ロータ３０の清掃体７で取り除く構成となっている。そして、取り除かれた塵埃は、管２９を経由して吸引装置４０へと吸引される。
【００２８】
尚、本発明の趣旨を逸脱しない範囲において、種々の実施形態をとることができることは言うまでもない。例えば、清掃体は、ブレード等の形態も採用できる。また、ロータつかみ部の形成箇所、個数等も適宜採用できる。また、清掃装置は上記実施形態以外にも適宜採用できる。
【産業上の利用可能性】
【００２９】
本発明の回転ロータ及び電気掃除機用吸込具は、電気掃除機に組み込まれて各種清掃を行う為に使用される。
【図面の簡単な説明】
【００３０】
【図１】本発明に係る回転ロータの斜視図及び同断面図。
【図２】回転ロータの第１実施形態を示す断面図。
【図３】清掃体を起毛ブラシで構成した場合の斜視図。
【図４】回転ロータの第２実施形態を示す断面図。
【図５】回転ロータの第３実施形態を示す断面図。
【図６】押出成形の一例を示す模式図。
【図７】本発明に係る電気掃除機用吸込具の斜視図及び同底面図。
【図８】本発明に係る回転ロータを各種清掃装置に取り付けた状態を示す斜視図及び同断面図。
【符号の説明】
【００３１】
７、８  清掃体
７ａ  基部
７ｂ  ブラシ部
７ｃ  縁部
１０、１１、１２  ロータ
１０ａ、１０ｂ  ロータつかみ部
１０ｃ  ストレート溝
１０ｄ  螺旋溝
３０、３１、３２  回転ロータ
７０、７００  起毛ブラシ
【図１】
2010012080.tif 000003
【図２】
2010012080.tif 000004
【図３】
2010012080.tif 000005
【図４】
2010012080.tif 000006
【図５】
2010012080.tif 000007
【図６】
2010012080.tif 000008
【図７】
2010012080.tif 000009
【図８】
2010012080.tif 000010